(57)【要約】      （修正有）【課題】土留めとしての強度を保持しつつ、現場での施工を省力で短時間で行える木製パネル装置を提供する。【解決手段】地盤Ｇ上に設置され土留め壁を形成する木製のパネル本体２と、パネル本体２の後面側の地盤Ｇ上に、横方向に所定の間隔で設置され、パネル本体２を後傾状態で支持するように側面視三角形状に形成された木製の三角形状支持枠３と、を備える。三角形状支持枠３を地盤Ｇに固定するアンカー部材６をさらに備える。【選択図】図２
0003233880.tif 000002
【実用新案登録請求の範囲】
【請求項１】
地盤上に設置され土留め壁を形成する木製のパネル本体と、
前記パネル本体の後面側の地盤上に、横方向に所定の間隔で設置され、前記パネル本体を後傾状態で支持するように側面視三角形状に形成された木製の三角形状支持枠と、を備えたことを特徴とする木製パネル装置。
【請求項２】
前記三角形状支持枠を地盤に固定するアンカー部材をさらに備えたことを特徴とする請求項１記載の木製パネル装置。
【請求項３】
前記三角形状支持枠は、
前記パネル本体の後面側を前記後傾状態で受けるように配置される受けフレーム部と、
前記受けフレーム部の下端に接続されて地盤に沿って後方に延びる接地フレーム部と、
前記受けフレーム部と前記接地フレーム部との間に斜めにかけ渡して接続される傾斜フレーム部と、を組み付けて構成されたことを特徴とする請求項１又は２記載の木製パネル装置。
【請求項４】
前記受けフレーム部と前記接地フレーム部と前記傾斜フレーム部とで囲まれる内側空間が二等辺三角形に設定されることを特徴とする請求項３記載の木製パネル装置。
【請求項５】
前記接地フレーム部は、前記傾斜フレーム部との接続位置よりも後方に向けて長く設けられたことを特徴とする請求項３又は４記載の木製パネル装置。
【請求項６】
前記パネル本体は、四角形状の板材を上下に重ねて形成したパネルユニットを横方向に複数接続して設けられており、
前記三角形状支持枠は、前記パネルユニットどうしの接続箇所に設置されることを特徴とする請求項１ないし５のいずれかに記載の木製パネル装置。
【請求項７】
前記パネル本体を貫通するボルトを介して前記パネル本体と前記三角形状支持枠とを締結するボルト締結手段をさらに備えたことを特徴とする請求項１ないし６のいずれかに記載の木製パネル装置。
【考案の詳細な説明】
【技術分野】
【０００１】
本考案は、崖や法面、段差等が崩壊するのを防止する土留めとして利用可能な木製パネル装置に関する。
【背景技術】
【０００２】
山間部等の法面や段差が崩れるのを防止するために土留めが設けられている。土留めとしては、木製のものやコンクリート製のものなどが種々利用されている。
【０００３】
木製の土留めは、コンクリート製のものに比べて自然環境への悪影響も少なく、かつ自然景観とも調和するとともに、間伐材を有効に利用して施工できる等のメリットが知られている。
【０００４】
従来の木製の土留めは、例えば、所定間隔で地盤に打ち込んだ木製支柱に、横に倒した丸太材を上下に積み重ねて、該木製支柱で支持させた木柵が利用されていた（例えば、特許文献１参照）。
【０００５】
また、本出願人は、特許文献１にて、地盤から立設し所定間隔で配列される支柱に固定され、前記所定間隔と同一の幅寸法の四角形状に形成された板材を上下方向に重ねて形成した木柵パネルを提案している。
【先行技術文献】
【特許文献】
【０００６】
【特許文献１】実用新案登録第３１９０１０２号公報
【考案の概要】
【考案が解決しようとする課題】
【０００７】
しかしながら、従来の木柵や特許文献１に記載の木柵パネルは、木製支柱を地盤に打ち込む必要があるが、木製支柱は長くて重量が重いこともあいまって、木製支柱をある程度の深さまで地盤に打ち込む作業は労力が大きく、施工時間がかかるとともに、足場が悪い現場では木製支柱の持ち運びに不便であるうえ、トラック車両等での現場までの搬送及び倉庫や工場内等での管理も大変である問題があった。
【０００８】
本考案は、上記従来の課題に鑑みてなされたものであり、土留めとしての強度を保持しつつ、現場での施工を省力で短時間で行える木製パネル装置を提供することにある。
【課題を解決するための手段】
【０００９】
上記課題を解決するために本考案の木製パネル装置１は、地盤Ｇ上に設置され土留め壁を形成する木製のパネル本体２と、前記パネル本体２の後面側の地盤Ｇ上に、横方向に所定の間隔で設置され、前記パネル本体２を後傾状態で支持するように側面視三角形状に形成された木製の三角形状支持枠３と、を備えたことを特徴とする。
【００１０】
また、前記三角形状支持枠３を地盤Ｇに固定するアンカー部材６をさらに備えたこととしてもよい。
【００１１】
また、前記三角形状支持枠３は、前記パネル本体２の後面側を前記後傾状態で受けるように配置される受けフレーム部３１と、前記受けフレーム部３１の下端に接続されて地盤に沿って後方に延びる接地フレーム部３２と、前記受けフレーム部３１と前記接地フレーム部３２との間に斜めにかけ渡して接続される傾斜フレーム部３３と、を組み付けて構成されたこととしてもよい。
【００１２】
また、前記受けフレーム部３１と前記接地フレーム部３２と前記傾斜フレーム部３３とで囲まれる内側空間３４が二等辺三角形に設定されることとしてもよい。
【００１３】
また、前記接地フレーム部３２は、前記傾斜フレーム部３３との接続位置よりも後方Ｒに向けて長く設けられたこととしてもよい。アンカー部材を打ち込んで三角形状支持枠３を地盤Ｇに固定する際に作業がしやすいと同時に、パネル本体２を安定して支持できる。
【００１４】
また、前記パネル本体２は、四角形状の板材４１を上下に重ねて形成したパネルユニット４，４ａを横方向に複数接続して設けられており、前記三角形状支持枠は、前記パネルユニット４，４ａどうしの接続箇所に設置されることとしてもよい。木製パネル装置１を強度を保持しながら効率よく施工することができる。
【００１５】
また、前記パネル本体２を貫通するボルト（５１）を介して前記パネル本体２と前記三角形状支持枠３とを締結するボルト締結手段５をさらに備えたこととしてもよい。
【考案の効果】
【００１６】
本考案の木製パネル装置によれば、強度が高く確実に土留めできるパネル装置を提供できるとともに、現場への搬送を手軽に行え、現場での施工も省力で短時間で効率よく行うことができる。
【図面の簡単な説明】
【００１７】
【図１】本考案の一実施形態に係る木製パネル装置の後面側から見た斜視説明図である。
【図２】図１の木製パネル装置の側面図である。
【図３】図１の木製パネル装置の一部分の後面図である。
【図４】図１の木製パネル装置の一部分の平面図である。
【図５】図１の木製パネル装置を施工した一例の側面説明図である。
【図６】図１の木製パネル装置のパネルユニットの他の形態の正面図である。
【考案を実施するための形態】
【００１８】
以下、添付図面を参照しつつ本考案の木製パネル装置の実施の形態について説明する。本考案の木製パネル装置は、地盤上に設置され後方側からの土の圧力かかる部分の土留めとして利用可能なパネル状の木製土留め装置である。
【００１９】
図１ないし図５は、本考案に係る木製パネル装置の一実施形態を示している。図１、図２に示すように、本実施形態では、木製パネル装置１は、地盤上に配置されるパネル本体２と、パネル本体２を支持する三角形状支持枠３と、を備えている。
【００２０】
本実施形態では、木製パネル装置１は、例えば、図５に示すように、崖等を段差状に形成する場合の土留めとして使用する例で説明する。
【００２１】
図１、図２に示すように、パネル本体２は、地盤Ｇ上に設定され、後方Ｒ側となる控え側からの土圧を受け止めて土を保持する土留め壁を形成する。
【００２２】
本実施形態では、パネル本体２は、例えば、複数のパネルユニット４を横方向Ｗに接続して構成される。それぞれのパネルユニット４は、木製板材であって、横方向長さが同じ長さの横長四角形状の板材４１を板面を立てた状態で上下に重ねて形成されている。パネルユニット４は、３枚の板材４１を重ねて３段構成で設けられており、正面視横長長方形状輪郭となっている。なお、板材４１すなわちパネルユニット４の横方向長さは任意でもよい。また、板材４１を上下に重ねる枚数すなわちパネルユニット４の上下方向長さも現場に応じて任意に設定することとしてもよい。
【００２３】
図２に示すように、板材４１の上端縁には、該板材の上辺に沿う方向に長く上方に向けて突設した凸条部４２が設けられている。一方、板材４１の下端縁には、該板材の下辺に沿う方向に長く板材内部に向けて凹設された凹条部４３が設けられている。
【００２４】
複数の板材４１が上下に重ねられる際には、下側の板材の凸部４２が上側の板材の凹部４３に嵌合される。これによって、上下の板材どうしの前後方向へのずれが防止できる。なお、最上段に配置される板材の上端縁には凸部は設けられていない。
【００２５】
図３に示すように、パネルユニット４の後面側には、該パネルユニット４を構成する複数の板材４１に跨って上下方向に形成される凹溝４５が横方向Ｗに所定間隔で凹設されている。
【００２６】
凹溝４５には、該凹溝４５と同じ上下長さ及び断面形状の外形で形成された木製のずれ止め防止材４６が嵌合される。ずれ止め防止材４６を嵌合させた後、込栓を打ち込んで固定する。これにより上下の板材４１どうしの横方向へのずれが防止できる。
【００２７】
図１、図４に示すように、パネルユニット４の左右端部側には、該パネルユニット４どうしを接続する係合部４４が設けられている。パネルユニット４の係合部４４は、例えば、正面視で左端部側に前欠き込み部４４１が設けられるとともに、右端部側に後欠き込み部４４２が設けられている。そして、横方向Ｗに隣接するパネルユニット４の接続部４４では、一方のパネルユニット４の前欠き込み部４４１と他方のパネルユニット４の後欠き込み部４４２とが嵌合して接続される。
【００２８】
このパネルユニット４の係合部４４の前欠き込み部４４１と後欠き込み部４４２との嵌合状態で、三角形状支持枠３とともに、ボルト締結手段５を介して締結される。さらに、パネル本体２の左右両端部側にも三角形状支持枠３が連結されて両端を安定的に支持される。
【００２９】
パネル本体２は、前面がやや斜め上方向に向くように上端が下端よりも後方Ｒに傾斜した後傾状態で配置されており、三角形状支持枠３に支持される。
【００３０】
図１、図２、図３に示すように、三角形状支持枠３は、パネル本体２の後面側の地盤Ｇ上に配置されて、該パネル本体２を支持する支持手段である。三角形状支持枠３は、パネル本体２の後面側で横方向Ｗに所定の間隔をあけて複数個配置されている。
【００３１】
三角形状支持枠３は、パネル本体２を後傾状態で支持するように側面視三角形状に形成されている。本実施形態では、三角形状支持枠３は、例えば、３つの木製角材を三角形枠状に組み付けて、釘やネジ、又はその他任意の固定手段で固定して構成されている。
【００３２】
具体的には、三角形状支持枠３は、パネル本体２の後面側を受ける受けフレーム部３１と、受けフレーム部３１の下端に接続される設置フレーム部３２と、該受けフレーム部３１と該設置フレーム部３２との間に接続される傾斜フレーム部３３と、を組み付けて鋭角三角形状の三角枠構成となっている。
【００３３】
受けフレーム部３１は、三角形状支持枠３においてパネル本体２との接続部分である。受けフレーム部３１は、例えば、パネル本体２の上下方向長さと略同じかやや短い長さで設けられており、受けフレーム部３１の下端とパネル本体２の下端と揃えてそのパネル本体２の後面に密着し、下端を地盤Ｇに接地して配置される。
【００３４】
受けフレーム部３１は、パネル本体２の傾斜角度に対応して長手方向に対して傾斜して形成され、下端を地盤Ｇ上に接地させると、後傾状態で立設して該パネル本体２を後傾状態で受ける。受けフレーム部３１は、水平な地盤に対して８０度程度の傾斜角度となるように設けられており、支持するパネル本体２は、８０度程度の傾斜角度で設置される。なお、パネル本体２の傾斜角度は任意の角度としてもよい。
【００３５】
接地フレーム部３２は、三角形状支持枠３において、地盤Ｇ上に配置する際に安定して接地するための部分である。接地フレーム部３２は、受けフレーム部３１の下端から地盤Ｇに沿って後方に延びて該地盤Ｇに接地状態で配置される。接地フレーム部３２の長さは、受けフレーム部３１の長さ、すなわちパネル本体２の上下方向長さよりも長く設けられている。これによって、パネル本体２を安定して支持しうる。
【００３６】
接地フレーム部３２の受けフレーム部３１へ接続される端部は、後傾状態で受けフレーム部３１を立設させるために水平な地盤Ｇに対して該受けフレーム部３１の傾斜角度に対応した角度で傾斜して形成されている。例えば、一方に長い木製角材を所定の角度（本実施形態の場合には８０度）で切断することで、一端側に同様の傾斜端面を形成する接地フレーム部３２と受けフレーム部３１を同時に形成することもできる。
【００３７】
傾斜フレーム部３３は、三角形状支持枠３において、パネル本体２の支持強度を十分に確保するための補強として機能しうる部分である。傾斜フレーム部３３は、受けフレーム部３１と接地フレーム部３２との間に斜めにかけ渡して配置され、該傾斜フレーム部３３の両端をそれぞれ受けフレーム部３１と接地フレーム部３２とに接続されている。
【００３８】
傾斜フレーム部３３は、例えば、受けフレーム部３１の長さよりやや短い長さで設けられており、両端側がそれぞれ長手方向に対して５０度の傾斜角度で長手方向に直交する軸に対して互いに対称となる傾斜角度で形成されている。傾斜フレーム部３３は、それぞれの傾斜端面を受けフレーム部３１の上端側と、接地フレーム部３２の中間位置に密着させて、突支棒状に受けフレーム部３１を後方Ｒ側から支持するように接続されている。
【００３９】
これによって、三角形状支持枠３の受けフレーム部３１と接地フレーム部３２と傾斜フレーム部３３とで囲まれる内側空間３４が二等辺三角形状に設定される。図２において、三角形状の内側空間は、８０度、５０度、５０度の二等辺三角形となっている。したがって、三角形状支持枠３の強度を確保できるとともに、傾斜フレーム部３３の作成時には、例えば、一方に長い角材を５０度の傾斜で交互に切断していけばよく、カット効率を良くして、スムーズに製造することができる。
【００４０】
さらに、傾斜フレーム部３３の接地フレーム部３２への接続位置は、接地フレーム部３２の後端よりもやや前方位置となる。すなわち、接地フレーム部３２は、その後端が傾斜フレーム部３３との接続位置よりも後方に向けて長く設けられる。
【００４１】
さらに、三角形状支持枠３は、アンカーボルト等からなるアンカー部材６を介して地盤Ｇに固定される。アンカー部材６は、三角形状支持枠３の接地フレーム部３２の後端側の位置であって傾斜フレーム部３３との接続位置よりも後方側の上下に貫通して地盤Ｇ中に打ち込まれて固定される。
【００４２】
図１、図２、図４に示すように、三角形状支持枠３は、パネル本体２とボルト締結手段５を介して連結接続される。本実施形態では、上述のようにパネルユニット４どうしの接続箇所となる係合部４４に三角形状支持枠３が設置され、ボルト締結手段５は、パネルユニット４どうしの連結と三角形状支持枠３の連結を同時に行っている。これにより、施工時の部品点数及び工数を少なくし、効率よくかつ低コストで施工できる。
【００４３】
ボルト締結手段５は、例えば、パネル本体２の全面側から板面を貫通して後面側の三角形状支持枠３の受けフレーム部３１に固定されるスクリューボルト５１を含む。スクリューボルト５１は、例えば、パネルユニット４を構成する３枚の板材４１にそれぞれを貫通するように設置されている。
【００４４】
なお、ボルト締結手段５は、パネル本体２と三角形状支持枠３に予めボルト用の貫通孔をあけておき、ボルト・ナットで締結する構成としてもよい。
【００４５】
次に図５をも参照しつつ、本実施形態の木製パネル装置１の施工例について説明する。予め工場等でパネル本体２を構成するパネルユニット４の板材、三角形状支持枠３等を製造しておく。施工時に、これらの構成部材を施工現場に搬入する。施工現場では、例えば、崖や法面等の地山の傾斜面に切土又は盛土を行って木製パネル装置１を設置するための水平な地盤Ｇを形成する。
【００４６】
三角形状支持枠３を地盤Ｇ上に所定間隔で配置する。それらの三角形状支持枠３の受けフレーム部の前面側に板材を上下に重ねて構成したパネルユニット４を配置する。横方向Ｗにパネルユニット４を接続していく。この際、パネルユニット４の接続位置と三角形状支持枠３とを同時にボルト締結手段５を介して固定する。
【００４７】
それぞれの三角形状支持枠３はアンカー部材６を介して地盤Ｇに固定される。これにより１段目の木製パネル装置１が構築される。
【００４８】
パネル本体２の後方側Ｒには緑化土壌材Ｍや裏込め材等を充填する。緑化土壌Ｍには、必要に応じて緑化植物が植えられる。また、緑化土壌Ｍに自然に植生させることとしてもよい。
【００４９】
必要に応じて、２段目、３段目等、必要な段数同じ工程で木製パネル装置１を構築される。緑化土壌Ｍがその上段側に設置する木製パネル装置１の地盤Ｇとなる。このようにして、比較的簡単な工程で、省力で、しかも短時間に木製パネル装置を構築することができる。
【００５０】
図６は、木製パネル装置１のパネル本体２を構成するパネルユニットの他の形態（４ａ）を示している。パネル本体２は、パネルユニット４ａを横方向に接続して設けられる。
【００５１】
図６に示すように、本実施形態では、パネルユニット４ａを構成するように上下に重ねられる板材４１は、それらの両端が横方向にずれるような配置で連結される。よって、上下に重ねられる板材４１の端部は、それぞれの板材の端部は上段側又は下段側の板材の端部よりも横方向に所定幅だけ突出して積み重ねられている。
【００５２】
図６において、パネルユニット４ａの両端は階段状に形成されている。パネルユニット４ａどうしを接続してパネル本体２を構成する際には、該パネルユニット４ａの階段状の端部を係合部４４として互いに嵌合状に係合して接続される。本実施形態でも、パネルユニット４ａの接続位置に三角形状支持枠３が配置され、パネルユニット４ａどうしの接続と三角形状支持枠３の接続をボルト締結手段５を介して同時に接続されている。
【００５３】
三角形状支持枠３やパネル本体２の後面側のずれ止め防止材４６等のパネル本体２のパネルユニット４ａ以外の構成は上記実施形態と同じ構成である。
【００５４】
以上説明した本考案の木製パネル装置は、上記した実施形態のみの構成に限定されるものではなく、実用新案登録請求の範囲に記載した本考案の本質を逸脱しない範囲において、任意の改変を行ってもよい。
【産業上の利用可能性】
【００５５】
本考案の木製パネル装置は、例えば、間伐材を材料として利用して製造することができ、各種法面や段差等が崩壊するのを防止するための土留めとして有効に利用できる。
【符号の説明】
【００５６】
１    木製パネル装置
２    パネル本体
３    三角形状支持枠
４，４ａ    パネルユニット
５    ボルト締結手段
６    アンカー部材
３１    受けフレーム部
３２    接地フレーム部
３３    傾斜フレーム部
３４    内部空間
４１    板材
Ｇ    地盤
【図１】
0003233880.tif 000003
【図２】
0003233880.tif 000004
【図３】
0003233880.tif 000005
【図４】
0003233880.tif 000006
【図５】
0003233880.tif 000007
【図６】
0003233880.tif 000008